(57)【要約】【課題】調光制御装置から調光信号線を介して調光信号を送信して複数の照明器具を調光制御する照明調光制御システムにおいて、新たな信号線の敷設の必要なく、照明器具に生じる種別の異なる異常状態を正しく判定する。【解決手段】調光信号線Ｌ１によって調光制御装置２に接続された蛍光灯照明器具Ｆａは、異常状態検出部Ｆａ３としての照度センサ１１と時間計測器１２の２種の検出器と、各検出器からの異常状態検出信号によって調光信号線Ｌ１を短絡するスイッチ装置１３、１４を備え、各スイッチ装置１３、１４によって所定時間短絡される調光信号線Ｌ１の短絡路Ｌ１ａにそれぞれ介装されたコンデンサ１５とコンデンサ１６との静電容量が異なった値に設定され、充電時間が異なった値になるように設定される。調光制御装置２は、コンデンサ１５、１６が充電されるときの充電時間を測定し、測定した充電時間に基づいて異常状態の種別を判定する。【選択図】図３
2008243530.tif 000002
【特許請求の範囲】
【請求項１】
光源と点灯回路とを備える複数の照明器具と、これらの照明器具に対して調光信号線を介して調光信号を送信する調光制御装置と、を備えた照明調光制御システムにおいて、
前記照明器具の各々は、
各照明器具の異常状態を検出する異常状態検出部と、
前記異常状態検出部からの異常状態検出信号によって調光信号線を所定時間短絡するスイッチと、
前記スイッチによって形成される短絡路に介装され異常状態の種別毎に異なった静電容量値を有する容量部と、を備え、
前記調光制御装置は、
前記スイッチによって短絡路が形成されて前記容量部の充電が開始されたときに前記調光信号の電位が所定値になるまでの充電時間を測定する充電時間測定部と、
前記充電時間測定部によって測定された充電時間に基づいて異常状態の種別を判定する判定部と、を備えたことを特徴とする照明調光制御システム。
【請求項２】
前記判定部は、
複数の異なった静電容量値の容量部に充電が行われたときの合計の充電時間に基づいて、複数の異常状態の種別を判定することを特徴とする請求項１に記載の照明調光制御システム。
【発明の詳細な説明】
【技術分野】
【０００１】
本発明は、調光制御装置から調光信号を送信して複数の照明器具を集中的に調光制御する照明調光制御システムに関する。
【背景技術】
【０００２】
調光制御装置から調光信号線を介して複数の照明器具に調光信号を送信し、それらの照明器具を調光制御する照明制御システムにおいて、照明器具毎にランプの寿命を検出するランプ寿命検出回路を備え、該ランプ寿命検出回路がランプの寿命を検出したときに調光信号線を短絡することによって調光制御装置へランプの寿命を伝達するものが知られている（例えば、特許文献１参照）。
【特許文献１】特開２００５−２２２９１９号公報
【発明の開示】
【発明が解決しようとする課題】
【０００３】
特許文献１に記載の照明制御システムでは、照明器具毎にランプの寿命を検出するランプ寿命検出回路を備えているので、ランプの寿命を照明器具毎に判定でき、例えば、各照明器具に共通の電源装置の通電累積時間が所定の時間に到達したときに該電源装置に接続された全ての照明器具のランプが寿命であるとみなして全てのランプを廃棄するシステムに比べて、確実に寿命に到達しているランプのみを交換できるといった長所がある。
【０００４】
ところで、照明器具には、ランプの寿命以外にも、ランプ点灯回路の故障や照度の不足等のいくつかの検出すべき項目があるが、特許文献１に記載の照明制御システムでは、調光信号線を短絡することによって調光信号線に短絡電流を流して制御装置へランプの寿命到達を伝達するので、照明器具にランプの寿命到達以外の他の項目を検出する機能を設けたとしても、それらの検出結果をランプの寿命到達と区別して制御装置へ伝達することができない。
【０００５】
具体的に説明すると、仮に特許文献１に記載の照明制御システムにおいて、照明器具にランプの寿命検出回路以外の他の項目の検出回路を備える場合に、当該他の項目の検出回路が照明器具の不具合を検出したときに調光信号線を短絡しても、制御装置は、ランプの寿命到達による調光信号線の短絡なのか、他の不具合による短絡なのかを区別することができない。従って、他の項目の検出回路からの検出結果をランプ寿命の到達と区別して制御装置へ伝達するためには、調光信号線とは別に信号線を敷設する必要が生じ、システムの大幅なコストアップを招くことになる。
【０００６】
そこで、本発明は、調光制御装置から調光信号線を介して調光信号を送信して複数の照明器具を調光制御する照明調光制御システムにおいて、新たな信号線の敷設の必要なく、調光制御装置が、照明器具に生じる種別の異なる異常状態を正しく判定することができる照明調光制御システムを提供することを目的とする。
【課題を解決するための手段】
【０００７】
上記目的を達成するために、請求項１の発明は、光源と点灯回路とを備える複数の照明器具と、これらの照明器具に対して調光信号線を介して調光信号を送信する調光制御装置と、を備えた照明調光制御システムにおいて、前記照明器具の各々は、各照明器具の異常状態を検出する異常状態検出部と、前記異常状態検出部からの異常状態検出信号によって調光信号線を所定時間短絡するスイッチと、前記スイッチによって形成される短絡路に介装され異常状態の種別毎に異なった静電容量値を有する容量部と、を備え、前記調光制御装置は、前記スイッチによって短絡路が形成されて前記容量部の充電が開始されたときに前記調光信号の電位が所定値になるまでの充電時間を測定する充電時間測定部と、前記充電時間測定部によって測定された充電時間に基づいて異常状態の種別を判定する判定部と、を備えたことを特徴とする。
【０００８】
請求項２の発明は、請求項１に記載の照明調光制御システムにおいて、前記判定部は、複数の異なった静電容量値の容量部に充電が行われたときの合計の充電時間に基づいて、複数の異常状態の種別を判定することを特徴とする。
【発明の効果】
【０００９】
請求項１の発明によれば、照明器具の異常状態検出部によって検出される異常状態の種別に応じて静電容量値の異なる容量部が充電され、調光制御装置は、当該容量部の充電時間に基づいて異常状態の種別を判定するので、新たな信号線を必要とすることなく、対象とする調光信号線の充電時間を検出することによって照明器具に生じる種別の異なる異常状態を正しく判定することができる。
【００１０】
請求項２の発明によれば、調光制御装置の判定部が、複数の異なった静電容量値の容量部に充電が行われたときの合計の充電時間に基づいて複数の異常状態の種別を判定するので、照明器具において複数の異常状態が同時に生じた場合であっても、照明器具に生じる種別の異なる異常状態を正しく判定することができる。
【発明を実施するための最良の形態】
【００１１】
（第１の実施形態）
以下、本発明の第１の実施形態に係る照明調光制御システムについて、図１乃至図８を参照して説明する。本実施形態の調光制御システム１は、図１に示されるように、４系統の調光信号線Ｌ１、Ｌ２、Ｌ３、Ｌ４に対して調光信号Ｓを送信する調光制御装置２と、ユーザが操作して調光制御装置２に対して操作信号を出力するリモコン３と、各調光信号線Ｌ１、Ｌ２、Ｌ３、Ｌ４にそれぞれ接続された蛍光灯照明器具Ｆａ、Ｆｂ、白熱灯照明器具Ｒ、及びＬＥＤ照明器具Ｅとを備える。調光信号Ｓは、ＰＷＭ（Ｐｕｌｓｅ  Ｗｉｄｔｈ  Ｍｏｄｕｌａｔｉｏｎ）信号である。
【００１２】
調光信号線Ｌ１、Ｌ２、Ｌ３、Ｌ４は、図１では１本の線に示されているが、実際には並行した２本の線から構成される。各照明器具Ｆａ、Ｆｂ、Ｒ、Ｅは、それぞれ光源としての蛍光灯Ｆａ１、Ｆｂ１、白熱灯Ｒ１、ＬＥＤＥ１と、点灯回路Ｆａ２、Ｆｂ２、Ｒ２、Ｅ２と、異常状態検出部Ｆａ３、Ｆｂ３、Ｒ３、Ｅ３と、異常状態検出部Ｆａ３、Ｆｂ３、Ｒ３、Ｅ３によって異常が検出されたときに各調光信号線Ｌ１、Ｌ２、Ｌ３、Ｌ４を所定時間短絡するスイッチ装置（スイッチ）Ｆａ４、Ｆｂ４、Ｒ４、Ｅ４を備える。異常状態検出部Ｆａ３、Ｆｂ３、Ｒ３、Ｅ３とスイッチ装置Ｆａ４、Ｆｂ４、Ｒ４、Ｅ４については、後に詳述する。
【００１３】
蛍光灯照明器具Ｆａ、Ｆｂ、白熱灯照明器具Ｒ、及びＬＥＤ照明器具Ｅは、それぞれ複数台が各調光信号線Ｌ１、Ｌ２、Ｌ３、Ｌ４に対して並列に接続されており、例えば、本照明調光制御システム１がオフィスの照明設備として設けられる場合には、調光信号線Ｌ１に接続された蛍光灯照明器具Ｆａ、Ｆａ・・のグループ、調光信号線Ｌ２に接続された蛍光灯照明器具Ｆｂ、Ｆｂ・・のグループ、調光信号線Ｌ３に接続された白熱灯照明器具Ｒ、Ｒ・・のグループ、及び調光信号線Ｌ４に接続されたＬＥＤ照明器具Ｅ、Ｅ・・のグループが、それぞれオフィスの別々の領域を照明するように配置される。
【００１４】
調光制御装置２は、商用電源２１から電源回路２２を介して所定の動作電圧を供給されるマイクロプロセッサ２３（判定部）と、マイクロプロセッサ２３によって制御され各調光信号線Ｌ１、Ｌ２、Ｌ３、Ｌ４に所定の調光信号Ｓ（ＰＷＭ信号）を出力する調光信号出力回路２４と、各調光信号線Ｌ１、Ｌ２、Ｌ３、Ｌ４がそれぞれ、いずれかの照明器具のスイッチ装置Ｆａ４、Ｆｂ４、Ｒ４、Ｅ４によって短絡されたときに各調光信号線Ｌ１、Ｌ２、Ｌ３、Ｌ４の短絡路に介装されたコンデンサ（容量部）が所定の電圧（電位）まで充電される充電時間を測定して測定値をマイクロプロセッサ２３へ出力する充電時間測定回路２５と、照明器具Ｆａ、Ｆｂ、Ｒ、Ｅの異常状態の種別に対応する充電時間が記録された情報テーブル（後述）等を記憶した記憶部２６と、リモコン３から送出される赤外線を受光し赤外線に重畳された指令信号をマイクロプロセッサ２３へ出力する赤外線受光部２７と、マイクロプロセッサ２３によって検出された照明器具Ｆａ、Ｆｂ、Ｒ、Ｅの異常状態を、ユーザが区別できるようにして報知する警報装置２９と、を備える。警報装置２９は、光を出力するＬＥＤ等のランプ、及び音声を出力するスピーカによって構成することができる。また、赤外線受光部２７は、特定小電力無線その他の電波を受信するものでもよい。
【００１５】
各照明器具Ｆａ、Ｆｂ、Ｒ、Ｅは、入力されるＰＷＭ信号Ｓのオンデューティの値に応じて光出力が変化する。本実施形態では、白熱灯照明器具Ｒと蛍光灯照明器具Ｆａ、Ｆｂは、オンデューティ値の増加にほぼ比例して光出力が減少し、ＬＥＤ照明器具Ｅは、オンデューティ値の増加に対して光出力が指数関数状に増加する。これらの各照明器具Ｆａ、Ｆｂ、Ｒ、Ｅ毎のオンデューティ値に対応する光出力値の関係が調光制御情報として記憶部２６に記憶されており、マイクロプロセッサ２３は、赤外線受光部２７を介してリモコン３から適宜のコマンド（例えば、「蛍光灯照明器具Ｆａを光出力５０％で点灯する」等）を受信したときに、制御対象の照明器具Ｆａ、Ｆｂ、Ｒ、Ｅが指定された光出力になるオンデューティ値を調光制御情報の中から検索して、調光信号出力回路２４が、そのオンデューティ値の調光信号Ｓを出力するように制御する。
【００１６】
以下、蛍光灯照明器具Ｆａの点灯回路Ｆａ２、異常状態検出部Ｆａ３、及びスイッチ装置Ｆａ４について、図２乃至図６を参照して説明する。白熱灯照明器具Ｒ、及びＬＥＤ照明器具Ｅについては、後述する。蛍光灯照明器具Ｆｂの構成については、蛍光灯照明器具Ｆａと同一であるので、説明を省略する。
【００１７】
蛍光灯照明器具Ｆａの点灯回路Ｆａ２は、図２に示されるように、商用電源２１からの電源の電圧、電流等を所定の値に変換する電源回路３２と、電源回路３２によって所定の電圧に変換された電力の発振周期を蛍光灯Ｆａ１の点灯周期に変換する発振回路３４と、発振回路３４によって変換される発振周期を調光信号Ｓ（ＰＷＭ信号）に応じた値に制御する発振周期制御部３５と、を備え、発振周期制御部３５は、調光信号線Ｌ１を介して入力される調光信号Ｓのオンデューティに応じて発振周期を変更して蛍光灯Ｆａ１を所定の出力で発光させる。スイッチ装置Ｆａ４は、発振周期制御部３５の前段において調光信号線Ｌ１に接続されている。
【００１８】
具体的には、発振周期制御部３５は、例えばオンデューティ値９０％のＰＷＭ信号Ｓが調光信号線Ｌ１を介して入力されたとき、そのＰＷＭ信号Ｓに応じて発振回路３４の発振周期を制御し、蛍光灯Ｆａ１を１１％の出力で発光させる。
【００１９】
蛍光灯照明器具Ｆａに設けられた異常状態検出部Ｆａ３は、本実施形態では、図３に示されるように、蛍光灯Ｆａ１の光出力を検知する照度センサ１１と、蛍光灯Ｆａ１の累積点灯時間を計測する時間計測器１２と、の２種の検出器を備える。照度センサ１１は、蛍光灯Ｆａ１からの光出力が予め設定された所定の照度値よりも低下したときにスイッチ装置Ｆａ４に対して異常状態検出信号ｓ１１を出力し、時間計測器１２は、蛍光灯Ｆａ１の点灯時間が予め設定された所定の累積時間に到達したときにスイッチ装置Ｆａ４に対して異常状態検出信号ｓ１２を出力する。
【００２０】
スイッチ装置Ｆａ４は、図３に示されるように、照度センサ１１からの異常状態検出信号ｓ１１が入力されるスイッチ装置１３と、時間計測器１２からの異常状態検出信号ｓ１２が入力されるスイッチ装置１４と、を備え、それぞれ、並行な２本の調光信号線Ｌ１間に亘って接続された通常オフのトランジスタ１３ａ、１４ａと、トランジスタ１３ａ、１４ａのオンオフを制御するタイマ回路１３ｂ、１４ｂと、を備える。各トランジスタ１３ａ、１４ａのオンによって形成される調光信号線Ｌ１の短絡路Ｌ１ａに異なった静電容量値のコンデンサ１５、１６（容量部）が接続されている。
【００２１】
コンデンサ１５、１６の静電容量値Ｃ１５、Ｃ１６は、本実施形態では、照度センサ１１からの異常状態検出信号ｓ１１によって形成される短絡路Ｌ１ａのコンデンサ１５の静電容量値Ｃ１５の方が、時間計測器１２からの異常状態検出信号ｓ１２によって形成される短絡路Ｌ１ａのコンデンサ１６の静電容量値Ｃ１６よりも大に設定してある。
【００２２】
各タイマ回路１３ｂ、１４ｂは、それぞれ照度センサ１１からの異常状態検出信号ｓ１１、及び時間計測器１２からの異常状態検出信号ｓ１２によって計時を開始する。タイマ回路１３ｂ、１４ｂのオンオフタイミング、異常状態検出信号ｓ１１、ｓ１２の出力タイミング、調光制御装置２の電源オンのタイミング、及び調光信号線Ｌ１の電圧、蛍光灯Ｆａ１の照度の変化について、図４（ａ）、（ｂ）を参照して説明する。図４（ａ）は、照度センサ１１からの異常状態検出信号ｓ１１によってスイッチ装置１３のタイマ回路１３ｂがオンする場合を示し、図４（ｂ）は、時間計測器１２からの異常状態検出信号ｓ１２によってスイッチ装置１４のタイマ回路１４ｂがオンする場合を示す。
【００２３】
まず、照度センサ１１からの異常状態検出信号ｓ１１によってスイッチ装置１３のタイマ回路１３ｂがオンする場合（図４（ａ））について説明する。調光制御装置２の電源が時刻ｔ１にオンされて、調光制御装置２の調光信号出力回路２４が電圧Ｖで所定のオンデューティ値の調光信号Ｓを出力し、蛍光灯Ｆａ１が当該オンデューティに応じた出力で発光し、照度センサ１１がその照度Ｋを検出する。時刻ｔ２において、照度センサ１１が蛍光灯Ｆａ１からの光出力の低下を検出して、異常状態検出信号ｓ１１を出力し、タイマ回路１３ｂがオンしてコンデンサ１５への充電が開始される。コンデンサ１５は、その静電容量値Ｃ１５に応じた時間で充電され、静電容量値Ｃ１５に応じた時間で放電する。従って、タイマ回路１３ｂがオンしている期間Ｔｔの調光信号Ｓの波形は、立上がり、及び立下り共に鈍った形状になる。調光信号Ｓの立上がり時の電圧Ｖまでの充電時間ｔａが、調光制御装置２の充電時間測定回路２５によって測定される。タイマ回路１３ｂは、時刻ｔ３においてオフし、調光信号線Ｌ１の短絡状態が解消される。
【００２４】
次に、時間計測器１２からの異常状態検出信号ｓ１２によってスイッチ装置１４のタイマ回路１４ｂがオンする場合（図４（ｂ））について説明する。調光制御装置２の電源が時刻ｔ１にオンされて、調光制御装置２の調光信号出力回路２４が電圧Ｖで所定のオンデューティ値の調光信号Ｓを出力し、蛍光灯Ｆａ１が当該オンデューティに応じた出力で発光し、照度センサ１２がその照度Ｋを検出する。時刻ｔ２において、時間計測器１２が蛍光灯Ｆａ１の点灯時間が予め設定された累積時間に到達したことを検出して、異常状態検出信号ｓ１２を出力し、タイマ回路１４ｂがオンしてコンデンサ１６への充電が開始される。コンデンサ１６は、その静電容量値Ｃ１６に応じた時間で充電され、静電容量値Ｃ１６に応じた時間で放電する。調光信号Ｓの立上がり時の電圧Ｖまでの充電時間ｔｂが、調光制御装置２の充電時間測定回路２５によって測定される。タイマ回路１４ｂがオンしている期間Ｔｔの調光信号Ｓの波形は、立上がり、及び立下り共に鈍った形状になるが、波形の面積は変化せず、蛍光灯Ｆａ１の照度Ｋも変化しない。タイマ回路１４ｂは、時刻ｔ３においてオフし、調光信号線Ｌ１の短絡状態が解消される。
【００２５】
なお、タイマ回路１３ｂ、１４ｂのオン時間Ｔｔは、調光信号（ＰＷＭ信号）Ｓの１周期Ｔｃ以上の幅を有する時間に設定される。本実施形態では、タイマ回路１３ｂ、１４ｂのオン時間Ｔｔは、調光信号（ＰＷＭ信号）Ｓの１周期Ｔｃの３倍の長さを有する。また、調光制御装置２の充電時間測定回路２５が測定する充電時間ｔａ、ｔｂは、調光信号Ｓの電圧が電圧Ｖに到達するまでの時間ではなく、調光信号Ｓの電圧が電圧Ｖよりも低目に設定された所定の基準電圧Ｖｃに到達するまでの時間であってもよい。具体的には、調光制御装置２の充電時間測定回路２５は、図５に示されるように、調光信号Ｓが、調光信号Ｓの本来の電圧Ｖよりも低い値に設定された基準電圧Ｖｃに到達するまでの時間ｔを充電時間として測定するようにしてもよい。
【００２６】
さらに、各コンデンサ１５、１６の静電容量Ｃ１５、Ｃ１６は、上記基準電圧Ｖｃと、調光信号Ｓのオンデューティの最小値を考慮して設定される。具体的には、各コンデンサ１５、１６の静電容量Ｃ１５、Ｃ１６は、基準電圧Ｖｃが上記のように比較的小さい値に設定された場合でも、充電時間ｔａと充電時間ｔｂの差が検出できる値に設定され、調光信号Ｓのオンデューティが最小となる場合にも充電時間ｔａ、ｔｂが検出できる値に設定される。
【００２７】
蛍光灯照明器具Ｆａは、以上のように構成されて、照度センサ１１が照度不足を検出したときには、充電時間測定回路２５が充電時間ｔａを測定して、その充電時間情報ｔａをマイクロプロセッサ２３へ出力し、時間計測器１２が累積時間に到達したことを検出したときには、充電時間測定回路２５が充電時間ｔｂを測定して、その充電時間情報ｔｂをマイクロプロセッサ２３へ出力する。一方、調光制御装置２の記憶部２６には、充電時間と異常状態の内容とが対応付けて記憶された情報テーブルＴ（図６）が記憶されており、マイクロプロセッサ２３は、該情報テーブルＴに基づいて充電時間測定回路２５から出力された充電時間情報ｔａ、ｔｂに対応する異常状態を判定する。
【００２８】
そして、マイクロプロセッサ２３は、判定した異常状態に応じて警報装置２９を動作させる。例えば、判定した異常状態が照度不足である場合には、マイクロプロセッサ２３は、警報装置２９の赤色ＬＥＤ（不図示）を点灯させ、判定した異常状態が寿命切れである場合には、警報装置２９の青色ＬＥＤ（不図示）を点灯させる。ユーザは、点灯したＬＥＤの色によって蛍光灯照明器具Ｆａに生じた異常状態の種別を認識することができる。警報装置２９がスピーカを備える場合には、異常状態の種別を異なった音声メッセージで出力することもできる。
【００２９】
なお、本実施形態では、異常状態検出部Ｆａ３は、蛍光灯Ｆａ１の光出力を検知する照度センサ１１と、蛍光灯Ｆａ１の累積点灯時間を計測する時間計測器１２と、の２種の検出器であったが、例えば、人感センサとタイマを有して照明器具の近くに人物が不在となったときの照明器具の点灯時間を計測し、光源が点灯している状態における人物が不在の時間が所定時間に到達したことを検出したときに、スイッチ装置Ｆａ４へ異常状態検出信号を出力する３種類目の異常状態検出器が備えられてもよい。
【００３０】
以上の説明は、蛍光灯照明器具Ｆａについてのものであったが、異常状態の検出手順と警報装置２９による異常状態別の警報出力の態様は、本実施形態の照明調光制御システム１における白熱灯照明器具Ｒ、及びＬＥＤ照明器具Ｅ（図１参照）についても同様であり、白熱灯照明器具ＲとＬＥＤ照明器具Ｅは、蛍光灯照明器具Ｆａに対して、調光信号Ｓに基づく光源（白熱灯Ｒ１、ＬＥＤＥ１）の制御方法が位相角による制御である点が異なる。
【００３１】
以下、白熱灯照明器具Ｒの点灯回路Ｒ２とＬＥＤ照明器具Ｅの点灯回路Ｅ２の構成の説明に沿って、各光源（白熱灯Ｒ１、ＬＥＤＥ１）の制御方法について説明する。白熱灯照明器具Ｒの点灯回路Ｒ２は、図７に示されるように、商用電源２１からの電源の電圧、電流等を所定の値に変換する電源回路４２と、電源回路４２によって所定の電圧に変換された電力の出力位相角を、調光信号Ｓ（ＰＷＭ信号）に応じた値に変換する信号変換部４３と、を備え、信号変換部４３は、調光信号線Ｌ３を介して入力される調光信号Ｓのオンデューティに応じて出力位相角を変換して白熱灯Ｒ１を所定の出力で発光させる。スイッチ装置Ｒ４は、信号変換部４３の前段において調光信号線Ｌ３に接続されている。具体的には、信号変換部４３は、例えばオンデューティ値９８％のＰＷＭ信号Ｓが調光信号線Ｌ３を介して入力されたとき、そのＰＷＭ信号に応じて出力位相角を１７８度に制御し、白熱灯Ｒ１が出力２％で発光する。
【００３２】
ＬＥＤ照明器具Ｅの点灯回路Ｅ２は、図８に示されるように、商用電源２１からの電源の電圧、電流等を所定の値に変換する電源回路５２と、電源回路５２によって所定の電圧に変換された電力の出力位相角を、調光信号Ｓ（ＰＷＭ信号）に応じた値に変換する信号変換部５３と、を備え、信号変換部５３は、調光信号線Ｌ４を介して入力される調光信号Ｓのオンデューティに応じて出力位相角を変換してＬＥＤＥ１を所定の出力で発光させる。スイッチ装置Ｅ４は、信号変換部５３の前段において調光信号線Ｌ４に接続されている。
【００３３】
（第２の実施形態）
次に、第２の実施形態に係る照明調光制御システム１について、図９乃至図１１を参照して説明する。第２の実施形態に係る照明調光制御システム１は、第１の実施形態に係る照明調光制御システム１とほぼ同一のハード構成を備え、異なるところは、記憶部２６に記憶された情報テーブルＴが、図９に示されるように、充電時間ｔａと充電時間ｔｂを合計した充電時間（ｔａ＋ｔｂ）の項目を有し、当該項目が異常状態「照度不足と寿命切れ」に対応付けて記憶されており、マイクロプロセッサ２３が、ほぼ同時に生じた照度不足と寿命切れを正確に判定できる点と、警報装置２９が３種類の異常状態を区別して出力できる点である。
【００３４】
以下、照度センサ１１による照度不足の検出と時間計測器１２による寿命切れの検出が異なったタイミングで生じる場合と、同一のタイミングで生じる場合の異常状態検出信号の出力、タイマ回路のオンオフタイミング、及び調光信号線の電圧等について、それぞれ図１０、及び図１１を参照して説明する。
【００３５】
まず、照度不足の検出と寿命切れの検出が異なったタイミングで生じる場合について、図１０を参照して説明する。なお、以下においては、蛍光灯照明器具Ｆａについて異常状態が生じた場合を例にして説明する。調光制御装置２の電源が時刻ｔ１にオンされて、調光制御装置２の調光信号出力回路２４が電圧Ｖで所定のオンデューティ値の調光信号Ｓを出力し、蛍光灯Ｆａ１が当該オンデューティに応じた出力で発光する。時刻ｔ２において、照度センサ１１が照度不足を検出して異常状態検出信号ｓ１１を出力し、タイマ回路１３ｂがオンしてコンデンサ１５への充電が開始され、充電時間測定回路２５が充電時間ｔａを測定する。続いて、時刻ｔ３において、時間計測器１２が寿命切れを検出して異常状態検出信号ｓ１２を出力し、タイマ回路１４ｂがオンしてコンデンサ１６への充電が開始され、充電時間測定回路２５が充電時間ｔｂを測定する。マイクロプロセッサ２３は、時刻ｔ２において充電時間測定回路２５から充電時間情報ｔａを受け、情報テーブルＴに基づいて充電時間ｔａに対応する照度不足の発生を判定し、時刻ｔ３において充電時間測定回路２５から充電時間情報ｔｂを受け、情報テーブルＴに基づいて充電時間ｔｂに対応する寿命切れの発生を判定する。
【００３６】
次に、照度不足の検出と寿命切れの検出が同一のタイミングで生じる場合について、図１１を参照して説明する。調光制御装置２の電源が時刻ｔ１にオンされて、調光制御装置２の調光信号出力回路２４が電圧Ｖで所定のオンデューティ値の調光信号Ｓを出力し、蛍光灯Ｆａ１が当該オンデューティに応じた出力で発光する。時刻ｔ２において、照度センサ１１が照度不足を検出して異常状態検出信号ｓ１１を出力し、同時刻ｔ２に時間計測器１２が寿命切れを検出して異常状態検出信号ｓ１２を出力する。従って、タイマ回路１３ｂとタイマ回路１４ｂが同時にオンしてコンデンサ１５とコンデンサ１６への充電が同時に開始される。
【００３７】
調光信号線Ｌ１に並列に接続されたコンデンサ１５とコンデンサ１６が同時に充電されるので、充電時間は、それぞれの充電時間を合計した充電時間（ｔａ＋ｔｂ）となり、充電時間測定回路２５は、充電時間情報として（ｔａ＋ｔｂ）をマイクロプロセッサ２３へ出力する。マイクロプロセッサ２３は、情報テーブルＴに記憶された充電時間のうち（ｔａ＋ｔｂ）を検索して、充電時間（ｔａ＋ｔｂ）に対応付けられた「照度不足と寿命切れ」が生じていることを判定する。続いて、マイクロプロセッサ２３は、警報装置２９の３種類目の異常状態を示すＬＥＤ（例えば、緑色ＬＥＤ）を点灯させてユーザに照度不足と寿命切れの２つの異常状態が同時に発生したことを報知する。
【００３８】
なお、本実施形態では、照度不足と寿命切れが異なったタイミングで発生したのか同時に発生したのかを区別して検出するために、タイマ回路１３ｂ、１４ｂのタイマオン期間Ｔｔは、調光信号Ｓの１周期Ｔｃの長さと同一に設定してある。
【００３９】
以上のように、本発明の照明調光制御システム１では、照明器具Ｆａ、Ｆｂ、Ｒ、Ｅの異常状態検出部Ｆａ３、Ｆｂ３、Ｒ３、Ｅ３によって検出される異常状態の種別に応じて静電容量値の異なる容量部１３ｂ、１４ｂが充電され、調光制御装置２は、充電時間測定回路２５の測定する充電時間ｔａ、ｔｂ、（ｔａ＋ｔｂ）に基づいて異常状態の種別を判定するので、新たな信号線を必要とすることなく、照明器具Ｆａ、Ｆｂ、Ｒ、Ｅに生じる種別の異なる異常状態を正しく判定することができる。
【図面の簡単な説明】
【００４０】
【図１】本発明の第１の実施形態に係る照明調光制御システムの全体構成を示すブロック図。
【図２】同照明調光制御システムにおける蛍光灯照明器具の構成を示すブロック図。
【図３】同照明調光制御システムにおける蛍光灯照明器具の異常状態検出部とスイッチ装置の構成を示すブロック図。
【図４】（ａ）は同照明調光制御システムにおける、照度不足が発生したときの異常状態検出信号の出力タイミング、タイマ回路のオンオフタイミング、調光信号線の電圧、及び蛍光灯の照度の変化を示すタイミングチャート、（ｂ）は同照明調光制御システムにおける、寿命切れが発生したときの異常状態検出信号の出力タイミング、タイマ回路のオンオフタイミング、調光信号線の電圧、及び蛍光灯の照度の変化を示すタイミングチャート。
【図５】同照明調光制御システムにおけるコンデンサが充電されるときの基準電位Ｖｃと充電時間との関係を示す説明図。
【図６】同照明調光制御システムにおける調光制御装置の記憶部に記憶された情報テーブルを示す図。
【図７】同照明調光制御システムにおける白熱灯照明器具の構成を示すブロック図。
【図８】同照明調光制御システムにおけるＬＥＤ照明器具の構成を示すブロック図。
【図９】本発明の第２の実施形態に係る照明調光制御システムにおける調光制御装置の記憶部に記憶された情報テーブルを示す図。
【図１０】同照明調光制御システムにおける、照度不足と寿命切れが短時間のうちに続けて発生したときの異常状態検出信号の出力タイミング、タイマ回路のオンオフタイミング、調光信号線の電圧の変化を示すタイミングチャート。
【図１１】同照明調光制御システムにおける、照度不足と寿命切れが同時に発生したときの異常状態検出信号の出力タイミング、タイマ回路のオンオフタイミング、調光信号線の電圧の変化を示すタイミングチャート。
【符号の説明】
【００４１】
１  照明調光制御システム
２  調光制御装置
１１  照度センサ（異常状態検出部）
１２  時間計測器（異常状態検出部）
１３  スイッチ装置（スイッチ）
１４  スイッチ装置（スイッチ）
１５  コンデンサ（容量部）
１６  コンデンサ（容量部）
２３  マイクロプロセッサ（判定部）
２５  充電時間測定回路（充電時間測定部）
Ｆａ、Ｆｂ  蛍光灯照明器具（照明器具）
Ｒ  白熱灯照明器具（照明器具）
Ｅ  ＬＥＤ照明器具（照明器具）
Ｆａ１  蛍光灯（光源）
Ｆａ２  点灯回路
Ｆａ３  異常状態検出部
Ｆａ４  スイッチ装置（スイッチ）
Ｌ１、Ｌ２、Ｌ３、Ｌ４  調光信号線
Ｌ１ａ  短絡路
Ｓ  調光信号
Ｖｃ  電圧
ｓ１１、ｓ１２  異常状態検出信号
ｔ、ｔａ、ｔｂ、ｔａ＋ｔｂ  充電時間
【図１】
2008243530.tif 000003
【図２】
2008243530.tif 000004
【図３】
2008243530.tif 000005
【図４】
2008243530.tif 000006
【図５】
2008243530.tif 000007
【図６】
2008243530.tif 000008
【図７】
2008243530.tif 000009
【図８】
2008243530.tif 000010
【図９】
2008243530.tif 000011
【図１０】
2008243530.tif 000012
【図１１】
2008243530.tif 000013